(57)【要約】【課題】収納する商品の数を減少することなく、加熱室に近い位置に収納された商品を十分に冷却することができる自動販売機を提供する。【解決手段】自動販売機１００は、Ｕ字状に配置された冷却吸込ダクト４０と、冷却底ダクト５０と、冷却吹出ダクト６０とを有し、冷却吹出ダクト６０内には前後仕切板７０によって、前面寄りで所定の高さまで上昇する第１風流れＷ１を形成する第１風路６０Ａと、後面寄りの範囲において上昇した後で前面方向に方向転換する第２風流れＷ２を形成する第２風路６０Ｂと、が形成されている。第２風路６０Ｂの上下仕切部６７の下方には、第２風流れＷ２における前面方向の風流れを幅方向に案内する風向板８０が設置され、第２風路６０Ｂにおける吹出孔６１を形成する吹出貫通孔６１ｂは、第１風路６０Ａにおける吹出孔６１を形成する吹出貫通孔６１ａよりも後面寄りに位置している。【選択図】図３
2010211288.tif 000002
【特許請求の範囲】
【請求項１】
前面に開閉扉が設置された商品収納庫と、
該商品収納庫内で、前記開閉扉から所定の間隔を設けて上下方向で複数段設置され、後面寄りから前面方向に収納する商品を搬送する商品ラックと、
前記商品収納庫の天面寄りに配置された加熱送風手段と、
前記商品収納庫の一方の側面に沿って配置され、吸込孔が形成された冷却吸込ダクトと、
該冷却吸込ダクトに対向して前記商品収納庫の他方の側面に沿って配置され、前面寄りの範囲に吹出孔が形成された冷却吹出ダクトと、
前記冷却吸込ダクトと前記冷却吹出ダクトとを連通し、前記商品収納庫の底面に沿って配置された冷却底ダクトと、
該冷却底ダクトの内部に配置された冷却送風手段と、
前記商品収納庫に着脱自在に設置され、前記商品収納庫を上部の加熱室と下部の冷却室とに仕切る断熱仕切板と、
前記冷却吹出ダクトの前記商品収納庫の外側に庫外側風路と、前記冷却吹出ダクトの前記商品収納庫の内側で前記冷却室の範囲に庫内側風路と、を形成する内外仕切板と、
前記庫内側風路の内部に設置され、前記冷却手段によって送られた空気を、前面寄りで所定の高さまで上昇する第１風流れと、後面寄りの範囲において上昇すると共に、前記所定の高さを超えた位置で前面方向に方向転換する第２風流れとを形成する前後仕切板と、を有する自動販売機。
【請求項２】
前記庫内側風路の内部に設置され、前記吹出口から吹き出される空気の吹き出し方向を、前記冷却吸込ダクト方向寄りに案内する風向板が設置されることを特徴とする請求項１記載の自動販売機。
【請求項３】
前記吹出孔が、それぞれ複数個の貫通孔からなる複数の群によって形成されると共に、該群が所定の間隔を設けて上下方向に配置され、
前記第２風流れの前記所定の高さを超えた位置における群の貫通孔の一部が、前記第１風流れにおける群の貫通孔よりも、後面寄りに形成され、
且つ、前記第２風流れにおける前記所定の高さを超えた位置における群の貫通孔の数が、前記第１風流れにおける群の貫通孔の数よりも、多いことを特徴とする請求項１または２記載の自動販売機。
【請求項４】
上下方向で、前記吹出孔が前記商品ラックの位置に対応していることを特徴とする請求項１乃至３の何れかに記載の自動販売機。
【請求項５】
前記前後仕切板が上下方向で移動自在であることを特徴とする請求項１乃至４の何れかに記載の自動販売機。
【発明の詳細な説明】
【技術分野】
【０００１】
本発明は自動販売機、特に、商品を視認することができるガラス扉を前面に有し、商品（缶、ビン、パック、ペットボトル等の容器に入れた飲料等）を冷却または加熱して販売する自動販売機に関する。
【背景技術】
【０００２】
従来、自動販売機、特に、商品を視認することができるガラス扉を前面に有する、いわゆる「Ｖｉｅｗ自販機」は、両側面および底面に沿ったＵ字状の冷却ダクトを有している。すなわち、Ｕ字状の冷却ダクトは、吸込孔を具備する冷却吹出ダクトと、吸込孔を具備する冷却吸込ダクトと、両者を連通する冷却底ダクトとから構成され、冷却底ダクトの内部には空気冷却手段および空気循環手段（以下、これらをまとめて「冷却送風手段」と称す）が配置されている。
そして、商品を収納する商品ラックの各段に対応した位置に、吹出孔および吸込孔を設けることによって、各段に収納された商品の均一冷却を容易にすると共に、後面（前面に対峙する面に同じ）寄りの吹出孔および吸込孔を閉じて前面寄りの吹出孔および吸込孔を開くことができる遮蔽ガイドを設け、ガラス扉を通しての外気への熱ロス（冷熱の散逸）を低減するゾーン運転を可能にする発明が開示されている（例えば、特許文献１参照）。
【先行技術文献】
【特許文献】
【０００３】
【特許文献１】特開２００８−０６５５３２号公報（第４頁、図１）
【発明の概要】
【発明が解決しようとする課題】
【０００４】
しかしながら、特許文献１に開示された発明は、前記作用効果を奏するものの、遮蔽ガイドが冷却吹出ダクトから商品ラック側に突出する。このため、商品ラックの幅を狭くする必要が生じ、収納する商品の数が減少するという問題があった。
また、商品収納庫の上部に加熱送風手段を配置して、収納した商品の一部を加熱するために断熱仕切板によって商品収納庫を加熱室と冷却室とに区分した際、両室間を完全に断熱することができない。このため、加熱室から侵入する温熱によって冷却室の断熱仕切板に近い範囲の冷却が阻害され、当該範囲に収納された商品が十分に冷却されないという問題があった。
【０００５】
本発明は上記問題を解決するものであって、収納する商品の数を減少することなく、加熱室に近い位置に収納された商品を十分に冷却することができる自動販売機を提供することを目的とする。
【課題を解決するための手段】
【０００６】
（１）本発明に係る自動販売機（請求項１）は、前面に開閉扉が設置された商品収納庫と、
該商品収納庫内で、前記開閉扉から所定の間隔を設けて上下方向で複数段設置され、後面寄りから前面方向に収納する商品を搬送する商品ラックと、
前記商品収納庫の天面寄りに配置された加熱送風手段と、
前記商品収納庫の一方の側面に沿って配置され、吸込孔が形成された冷却吸込ダクトと、
該冷却吸込ダクトに対向して前記商品収納庫の他方の側面に沿って配置され、前面寄りの範囲に吹出孔が形成された冷却吹出ダクトと、
前記冷却吸込ダクトと前記冷却吹出ダクトとを連通し、前記商品収納庫の底面に沿って配置された冷却底ダクトと、
該冷却底ダクトの内部に配置された冷却送風手段と、
前記商品収納庫に着脱自在に設置され、前記商品収納庫を上部の加熱室と下部の冷却室とに仕切る断熱仕切板と、
前記冷却吹出ダクトの前記商品収納庫の外側に庫外側風路と、前記冷却吹出ダクトの前記商品収納庫の内側で前記冷却室の範囲に庫内側風路と、を形成する内外仕切板と、
前記庫内側風路の内部に設置され、前記冷却手段によって送られた空気を、前面寄りで所定の高さまで上昇する第１風流れと、後面寄りの範囲において上昇すると共に、前記所定の高さを超えた位置で前面方向に方向転換する第２風流れとを形成する前後仕切板と、を有する。
【０００７】
（２）本発明に係る自動販売機（請求項２）は、前記（１）において、前記庫内側風路の内部に設置され、前記吹出口から吹き出される空気の吹き出し方向を、前記冷却吸込ダクト方向寄りに案内する風向板が設置されることを特徴とする。
【０００８】
（３）本発明に係る自動販売機（請求項３）は、前記（１）または（２）において、前記吹出孔が、それぞれ複数個の貫通孔からなる複数の群によって形成されると共に、該群が所定の間隔を設けて上下方向に配置され、
前記第２風流れの前記所定の高さを超えた位置における群の貫通孔の一部が、前記第１風流れにおける群の貫通孔よりも、後面寄りに形成され、
且つ、前記第２風流れにおける前記所定の高さを超えた位置における群の貫通孔の数が、前記第１風流れにおける群の貫通孔の数よりも、多いことを特徴とする。
【０００９】
（４）本発明に係る自動販売機（請求項４）は、前記（１）乃至（３）の何れかにおいて、上下方向で、前記吹出孔が前記商品ラックの位置に対応していることを特徴とする。
（５）本発明に係る自動販売機（請求項５）は、前記（１）乃至（４）の何れかにおいて、前記前後仕切板が上下方向で移動自在であることを特徴とする。
【発明の効果】
【００１０】
（ｉ）本発明の請求項１に係る自動販売機は、冷却吹出ダクトの内部に設置された前後仕切板によって、第１風流れと第２風流れとを形成し、第２風流れの前面方向に方向転換した範囲（前記所定の高さを超えた範囲に同じ）から、断熱仕切板の直下に冷却空気を吹き出すから、加熱室から冷却室に温熱が侵入したとしても、冷却室の上部（断熱仕切板に近い位置に同じ）に収納された商品を十分に冷却することができる。
【００１１】
（ｉｉ）本発明の請求項２に係る自動販売機は、風向板によって、冷却空気の吹き出し方向が冷却吸込ダクト方向寄り、すなわち、直接前面に設置された開閉扉に衝突しない方向に案内されるから、左右方向の広い範囲に冷却空気が直接的に冷却空気が行き渡ると共に、開閉扉を経由した冷熱の放散が防止される。よって、収納された商品を幅方向でより均一に冷却することができ、且つ、熱ロスを減らすことができる。
【００１２】
（ｉｉｉ）本発明の請求項３に係る自動販売機は、第２風流れの所定の高さを超えた位置（断熱仕切板に近い位置に同じ）における群の貫通孔は、その他の群の貫通孔よりも数が多く、その一部はより後面寄りに形成されるから、冷却室の上部（断熱仕切板に近い位置に同じ）の後面寄りに収納された商品も、十分に冷却することができる。
【００１３】
（ｉｖ）本発明の請求項４に係る自動販売機は、上下方向で、貫通孔の群が商品ラックの位置に対応しているから、それぞれの段に収納された商品が効率良く冷却される。
【００１４】
（ｖ）本発明の請求項５に係る自動販売機は、前後仕切板が上下方向で移動自在であるから、加熱室を加熱する際は、前後仕切板を高い位置に設置して、第２風流れによって加熱室の近い範囲を集中的に冷却する（このため、第１風流れは冷却室の比較的広い範囲を冷却する）。一方、加熱室を冷却する際は、前後仕切板を庫内側風路の高さ方向の中間位置に設置して、第１風流れと第２風流れとの双方によって、冷却室を平均的に冷却する。したがって、加熱室を加熱する場合には、冷却室に侵入する温熱の影響を緩和することができ、加熱室を冷却する場合には、加熱室および冷却室の広い範囲を均一に冷却することが可能になる。
【図面の簡単な説明】
【００１５】
【図１】実施の形態１に係る自動販売機の断面図で、加熱と冷却を実行する場合。
【図２】実施の形態１に係る自動販売機の断面図で、冷却のみを実行する場合。
【図３】図１に示す自動販売機の冷却吹出ダクト（庫内側風路）を示す断面図。
【図４】図１に示す自動販売機の冷却吹出ダクト（庫内側風路）を示す斜視図。
【図５】図１に示す自動販売機の冷却吸込ダクトを示す斜視図。
【図６】図１に示す自動販売機の所定範囲の風流れを調査した調査結果。
【図７】本発明の実施の形態２に係る自動販売機の庫内側風路を示す側面図および移動前後仕切板を示す斜視図。
【図８】図７に示す自動販売機における移動前後仕切板の設置形態を示す側面図。
【図９】図７に示す自動販売機における移動前後仕切板の効果を示す実験結果。
【発明を実施するための形態】
【００１６】
［実施の形態１］
図１および図２は本発明の実施の形態１に係る自動販売機を説明するものであって、図１は加熱と冷却を実行する場合、図２は冷却のみ実行する場合で、それぞれ（ａ）は正面視の断面図、（ｂ）は側面視の断面図である。なお、各図は模式的に描かれたものであるから、各部材の相対的な大小関係等を限定するものではない。
【００１７】
（商品収納庫）
図１および図２において、自動販売機１００は、断熱材１１によって包囲され、前面（図中、Ｙ方向）が開口した商品収納庫１０と、商品収納庫１０の前面を開閉するガラス扉（開閉扉に同じ）１２と、を有している。
商品収納庫１０には、ガラス扉１２から所定の間隔を設けて商品ラック２０が、上下方向で７段設置されている。商品ラック２０は、後面寄りから前面方向に収納する商品を搬送する。
また、商品収納庫１０の上から２段目の商品ラック２０と３段目の商品ラック２０との間に、断熱仕切板１３ａ、１３ｂが着脱自在に設置されている。すなわち、後面寄りに設置された断熱仕切板１３ａと前面寄りに設置された断熱仕切板１３ｂとによって、商品収納庫１０は上部の加熱室１０Ｈと下部の冷却室１０Ｃとに仕切られている。
【００１８】
（加熱空気の流れ）
図１において、加熱室１０Ｈを加熱する際、加熱室１０Ｈは商品収納庫１０の天面に近い後面寄りに配置された加熱送風手段３０によって加熱される。加熱送風手段３０は、加熱吸込ダクト３１と、加熱ファン３２と、庫内ヒータ３３と、加熱風胴３４とを有している。図１に加熱空気が流れる加熱吸込ダクト３１および加熱風胴３４を右下がりの斜線で示している。
【００１９】
（冷却空気の流れ）
冷却室１０Ｃの一方の側面（図１の（ａ）における右側中、＋Ｘ側）に沿って、吸込孔４１が形成された冷却吸込ダクト４０と、冷却吸込ダクト４０に対向して商品収納庫１０の他方の側面（図１の（ａ）における左側中、−Ｘ側）に沿って配置され、前面寄りの範囲に吹出孔６１が形成された冷却吹出ダクト６０と、冷却吸込ダクト４０と冷却吹出ダクト６０とを連通し、商品収納庫１０の底面に沿って配置された冷却底ダクト５０と、が配置されている。
【００２０】
冷却底ダクト５０の内部には、冷凍サイクルを構成する蒸発器５１と、冷却ファン５２と、が配置されている（以下、蒸発器５１と冷却ファン５２とをまとめて「冷却送風手段５３」と称する場合がある）。
そして、冷却吹出ダクト６０は、加熱室１０Ｈに冷却空気を送るための第３風路６０Ｃ（庫外側風路に同じ）と、冷却室１０Ｃに冷却空気を送るための第１風路６０Ａおよび第２風路６０Ｂ（両者をあわせた風路が庫内側風路に同じ）に仕切られている（これについては別途詳細に説明する）。
【００２１】
図１において、加熱室１０Ｈを加熱しながら、冷却室１０Ｃを冷却する際、冷却送風手段５３によって送られた冷却空気は、冷却吹出ダクト６０の第１風路６０Ａおよび第２風路６０Ｂを経由して、冷却室１０Ｃに吹き出され、冷却室１０Ｃを左右方向（＋Ｘ方向）に流れた後、冷却吸込ダクト４０に吸い込まれ、再度、冷却送風手段５３に戻る循環をする。図１に冷却空気の流れる冷却吸込ダクト４０、冷却底ダクト５０および冷却吹出ダクト６０を右上がりの斜線で示している。
【００２２】
図２において、加熱室１０Ｈおよび冷却室１０Ｃを冷却する際、冷却送風手段５３によって送られた冷却空気は、冷却吹出ダクト６０の第３風路６０Ｃを経由して加熱室１０Ｈに吹き出され、また、冷却吹出ダクト６０の第１風路６０Ａおよび第２風路６０Ｂを経由して、冷却室１０Ｃに吹き出され、それぞれ左右方向（＋Ｘ方向）に流れた後、冷却吸込ダクト４０に吸い込まれ、再度、冷却送風手段５３に戻る循環をする。図２に冷却空気の流れる冷却吸込ダクト４０、冷却底ダクト５０および冷却吹出ダクト６０を右上がりの斜線で示している。
【００２３】
（冷却吹出ダクト）
図３および図４は本発明の実施の形態１に係る自動販売機における冷却吹出ダクトを説明するものであって、図３の（ａ）は部分（庫内側風路）を示す側面視の断面図、図３の（ｂ）は部分（庫内側風路）の一部（風向板）を透過して示す側面視の断面図、図３の（ｃ）は図３の（ａ）におけるＡ−Ａ断面を示す断面図、図３の（ｄ）は図３の（ａ）におけるＢ−Ｂ断面を示す断面図、図４は部分（庫内側風路）の一部を透過して示す斜視図である。なお、各図は模式的に描かれたものであるから、各部材の相対的な大小関係等は限定するものではない。
【００２４】
冷却吹出ダクト６０は、前後方向（Ｙ−Ｚ面と平行）に所定の間隔を設けて配置されたダクト内板６２およびダクト外板６４と、幅方向（Ｘ−Ｚ面と平行）に所定の間隔を設けて配置されたダクト前板６３およびダクト後板６５と、から形成された筒状である。また、ダクト内板６２の下端の近くには、冷却底ダクト５０からの冷却空気が通過する冷却空気流入口６６が形成されている（図３および図４参照）。なお、ダクト後板６５の上部（加熱室１０Ｈに相当する範囲）は折り曲げられ、前面寄りに位置し、かかる折り曲げ部の後方に、加熱吸込ダクト３１が位置している。
さらに、冷却吹出ダクト６０は、断熱仕切板１３ａと略同じ位置に設置された上下仕切部６７と、ダクト内板６２とダクト外板６４との間に、これらを略平行に設置された左右仕切部６８と、からなる断面Ｌ字状の内外仕切板６９が設けられている。
すなわち、冷却吹出ダクト６０は内外仕切板６９によって、商品収納庫１０の外寄りに位置する庫外側風路（以下「第３風路」と称す）６０Ｃと、商品収納庫１０の内寄りに位置する庫内側風路とに、仕切られている。そして、第３風路６０Ｃは、加熱室１０Ｈを冷却する際に、冷却空気が通過する流路になる。
【００２５】
（前後仕切板）
冷却吹出ダクト６０の前記庫内側風路の内部には、冷却手段５３によって送られた冷却空気を、前面寄りで所定の高さ（上から３段目の商品ラック２０と４段目の商品ラック２０との間に相当する）まで上昇する第１風流れＷ１と、後面寄りの範囲において上昇すると共に、所定の高さを超えた位置で前面方向に方向転換するΓ（ガンマ）状の第２風流れＷ２とを形成する前後仕切板７０が設置されている。
すなわち、前後仕切板７０は鉛直部７１と水平部７２とを具備するＬ字状に形成された板材であって、これによって、第１風流れＷ１を形成する第１風路６０Ａと、第２風流れＷ２を形成する第２風路６０Ｂとが形成されている。
【００２６】
（風向板）
さらに、前記庫内側風路（第１風路６０Ａおよび第２風路６０Ｂ）の最も前面寄り（＋Ｙ方向）に風向板８０が設置されている。風向板８０は、第２風流れＷ２における前面方向（Ｙ方向）の風流れを幅方向（Ｘ方向、冷却吸込ダクト４０の方向に同じ）に案内したり、第１風流れＷ１において、前面方向（Ｙ方向）で外側（−Ｘ方向）の隅部に、風流れの淀みができ難くするものであって、幅方向（Ｘ）方向）に対して角度（θ）が概ね３０〜６０°（例えば、４５°）傾いている。
【００２７】
（吹出孔）
吹出孔６１は、それぞれ４個の吹出貫通孔６１ａからなる７群によって形成され、それぞれの群が、上下方向で商品ラック２０の位置に対応した位置になるように、所定の間隔を設けて配置されている。このとき、吹出貫通孔６１ａは第１風路６０Ａの全域と第２風路６０Ｂの前面寄りの位置に形成されているから、第２風路６０Ｂの第１風路６０Ａの後方範囲、すなわち、上方向の風流れが形成される範囲には吹出貫通孔６１ａが形成されていない。
しかしながら、第２風路６０Ｂの後面寄りで上下仕切部６７の近く（上から３段目の商品ラック２０と４段目の商品ラック２０との間に相当する）に吹出貫通孔６１ｂが形成されている。すなわち第２風流れＷ２の所定の高さを超えた位置では、第１風路６０Ａにおける群を形成する貫通孔の個数（４個）よりも多い個数（合計６個）の貫通孔が形成され、その一部（吹出貫通孔６１ｂ）は第１風路６０Ａにおけるものより後面寄りに位置している。
【００２８】
以上、図１に基づいて自動販売機１００を説明したが、本発明は図示する形態に限定するものではなく、商品ラックの段数、吹出孔６１を形成する群の数量、あるいは、各群を構成する吹出貫通孔６１ａの数量や吹出貫通孔６１ｂの数量等は、何れであってもよい。
また、高さ方向で、上下仕切部６７の位置や前後仕切板７０の水平部７２の位置を、限定するものではない。さらに、風向板８０を撤去しても相当の作用効果が得られるものである。
【００２９】
（冷却吸込ダクト）
図５は本発明の実施の形態１に係る自動販売機における冷却吸込ダクトを説明する一部を透過して示す斜視図である。なお、図５は模式的に描かれたものであるから、各部の相対的な大小関係等は限定するものではない。
冷却吸込ダクト４０は、前後方向（Ｙ−Ｚ面と平行）に所定の間隔を設けて配置されたダクト内板４２およびダクト外板（図示しない）と、幅方向（Ｘ−Ｚ面と平行）に所定の間隔を設けて配置されたダクト前板４３およびダクト後板４５と、から形成された筒状であって、ダクト内板４２の下端の近くには、冷却底ダクト５０に空気を送り出すための循環空気流出口４６が形成されている。
【００３０】
そして、ダクト内板４２の前面寄りに、吸込孔４１が、それぞれ４個の吸込貫通孔４１ａからなる５群によって形成され、それぞれの群が、上下方向で商品ラック２０の位置に対応した位置になるように、所定の間隔を設けて配置されている。
また、ダクト内板４２の上端近くには後面寄りに、６個の吸込貫通孔４１ｂが形成され、ダクト内板４２の上端は開口して循環空気流入口４８が形成されている。
すなわち、冷却吸込ダクト４０の上端近くでは、合計１０個の吸込貫通孔４１ａ、４１ｂと循環空気流入口４８とによって、冷却吹出ダクト６０の第２風流れＷ２から吹き出された冷却空気が、容易に冷却吸込ダクト４０に流入するようになっている。
なお、本発明は、吸込貫通孔４１ａおよび吸込貫通孔４１ｂの数量や形状を限定するものではない。
【００３１】
（風流れ）
自動販売機１００は以上の構成であるから、加熱室１０Ｈを加熱して冷却室１０Ｃを冷却する際、冷却送風手段５３から送られた冷却空気は、冷却吹出ダクト６０の第１風路６０Ａおよび第２風路６０Ｂに流入し、それぞれ第１風流れＷ１および第２風流れＷ２となる。
第１風流れＷ１は上昇しながら（＋Ｚ方向の流れながら）、吹出貫通孔６１ａから商品収納庫１０の内部に吹き出し、商品ラック２０に収納された商品を冷却した後、吸込貫通孔４１ａから冷却吸込ダクト４０に吸い込まれて冷却送風手段５３に戻る。
一方、第２風流れＷ２は、前面方向（＋Ｙ方向）に流れながら、吹出貫通孔６１ｂおよび吹出貫通孔６１ａから商品収納庫１０の内部、特に、断熱仕切板１３ａの直下に吹き出し、主に、上から３段目の商品ラック２０に収納された商品を冷却した後、吸込貫通孔４１ａ、４１ｂおよび循環空気流入口４８から、冷却吸込ダクト４０に吸い込まれて冷却送風手段５３に戻る。
【００３２】
図６は、自動販売機１００の断熱仕切板１３ａの直下における、水平方向（Ｘ−Ｙ方向）の風流れを調査した調査結果を模式的に示すものである。すなわち、表１に示すように、図６の（ｃ）が自動販売機１００であって、図６の（ａ）、（ｂ）、（ｄ）は、各部材の効果を確認した比較自動販売機である。
【００３３】
【表１】
2010211288.tif 000003
【００３４】
図６の（ａ）に示すように、前後仕切板７０が無い場合、冷却送風手段５３から送られた冷却空気は冷却吹出ダクト６０において上昇流となり、上昇に伴って、前面寄りに形成された吹出貫通孔６１ａから商品収納庫１０に吹き出しながら、除々に流量が減少すると共に、前面寄りの流れになっている（図示しない）。
このため、上下仕切部６７の直下に到達した冷却空気は、前面寄りに形成された吹出貫通孔６１ａから商品収納庫１０に吹き出し、後面寄りに形成された吹出貫通孔６１ｂからは、ほとんど吹き出していない（矢印で模式的に示す）。このため、幅方向の両端の前面寄りの範囲（破線で囲った範囲）に、冷却空気が到達しないため、加熱室１０Ｈからの温熱の侵入によって当該範囲に収納された商品の温度が上昇（冷却が不充分に同じ）している。
【００３５】
図６の（ｂ）に示すように、風向板８０が無い場合、冷却送風手段５３から送られた冷却空気は、冷却吹出ダクト６０においてそれぞれ略等量の風量である第１風流れＷ１と第２風流れＷ２とに分けられる。
そして、第２風流れＷ２は上昇に伴う風量の減少がないまま、上下仕切部６７の直下に到達し、後面寄りに形成された吹出貫通孔６１ｂおよび前面寄りに形成された吹出貫通孔６１ａの双方から商品収納庫１０に吹き出している。
このとき、風向板８０が設置されていないため、前面寄りに形成された吹出貫通孔６１ａからは、前面側（Ｙ方向）への風流れが強くなっている。このため、冷却吸込ダクト４０の近くで前面寄りの範囲（破線で囲った範囲）に、冷却空気が到達しないため、加熱室１０Ｈからの温熱の侵入によって当該範囲に収納された商品の温度が上昇（冷却が不充分に同じ）している。また、ガラス扉１２に衝突する風流れによって冷熱がガラス扉１２を介して大気中に散逸し、熱ロスが増加している。
【００３６】
図６の（ｄ）に示すように、前後仕切板７０が設置され、且つ、後面寄りに形成された吹出貫通孔６１ｂが無い場合、冷却送風手段５３から送られた冷却空気は、冷却吹出ダクト６０においてそれぞれ略等量の風量である第１風流れＷ１と第２風流れＷ２とに分けられる。
そして、第２風流れＷ２は上昇に伴う風量の減少がないまま、上下仕切部６７の直下に到達し、前面寄りに形成された吹出貫通孔６１ａから商品収納庫１０に吹き出している。
このとき、風向板８０が設置されているものの、風量が多いことから、吹き出し風速が速くなり、ガラス扉１２に衝突する風流れが生じている。このため、冷却吸込ダクト４０の近くで前面寄りの範囲（破線で囲った範囲）に、冷却空気が到達しないため、加熱室１０Ｈからの温熱の侵入によって当該範囲に収納された商品の温度が上昇（冷却が不充分に同じ）している。また、ガラス扉１２に衝突する風流れによって冷熱がガラス扉１２を介して大気中に散逸し、熱ロスが増加している。
【００３７】
図６の（ｃ）は自動販売機１００であって、第２風流れＷ２は前後仕切板７０によって風量を減らすことなく、上下仕切部６７の直下に到達し、後面寄りに形成された吹出貫通孔６１ｂおよび前面寄りに形成された吹出貫通孔６１ａから商品収納庫１０に吹き出している。
このとき、風向板８０によって第２風流れＷ２の前面方向への流れは幅方向（＋Ｘ方向）に案内されているから、吹出貫通孔６１ａからは、主に冷却吸込ダクト４０の近くで前面寄りの範囲に向かって、冷却空気が吹き出されている。
このため、前面寄りで幅方向の広い範囲（破線で囲った範囲）に、冷却空気が到達するから、当該範囲に収納された商品を均一に冷却することができる。また、冷却吸込ダクト４０のダクト内板４２および冷却吹出ダクト６０のダクト内板６２から突出する部材がないから、商品ラックの幅（ｘ方向の距離）を狭める必要がなく、収納する商品の数量が減少しない。
【００３８】
（冷却のみ運転）
以上、自動販売機１００において、上部に収納した商品を加熱し、下部に収納した商品を冷却する場合について説明しているが、自動販売機１００は収納した商品の全てを冷却することができるものである。
このとき、断熱仕切板１３ａ、１３ｂおよび上下仕切部６７を撤去して、加熱送風手段３０を停止する。そうすると、冷却送風手段５３から送られた冷却空気は、第１風路６０Ａおよび第２風路６０Ｂの双方に流入し、第２風路６０Ｂに流入した冷却空気は、商品収納庫１０の天井近く（冷却吹出ダクト６０の加熱吸込ダクト３１の前面側）まで上昇し、吹出貫通孔６１ａから商品収納庫１０に吹き出す。
なお、風向板８０を着脱自在にしておき、全室を冷却するとき、風向板８０を撤去するようにしてもよい。
【００３９】
［実施の形態２］
図７〜図９は本発明の実施の形態２に係る自動販売機を説明するものであって、図７の（ａ）は部分（庫内側風路）を一部（移動前後仕切板）を撤去して示す側面図、図７の（ｂ）は部分（庫内側風路）に設置される一部（移動前後仕切板）を示す斜視図、図８の（ａ）は加熱室に冷却空気を送らない場合の庫内側風路を示す側面視の断面図、図８の（ｂ）は加熱室に冷却空気を送る場合の庫内側風路を示す側面視の断面図、図９は、一部（移動前後仕切板）の効果を確認した実験結果である。
図７において、本発明の実施の形態２に係る自動販売機（図示しない）は、これが有する冷却吹出ダクト６０の庫内側風路に、自動販売機１００（実施の形態１）における前後仕切板７０に替えて、移動前後仕切板２７０が設置されたものであって、これを除く部材は自動販売機１００に同じである。なお、自動販売機１００と同じ部分または相当する部分には同じ符号を付し、一部の説明を省略する。
【００４０】
冷却吹出ダクト６０において、前後仕切板７０が撤去されたものの、前後仕切板７０を構成していた鉛直部７１の一部（下方範囲）のみが残されている。そして、ダクト内板６２の第２風路に相当する範囲で上下方向（Ｚ方向）に、固定用ボルト２７４が貫通自在な固定用スリット６２ａが形成されている。
また、移動前後仕切板２７０は、前後仕切板７０の鉛直部７１に相当する鉛直部２７１（正確には鉛直部７１より短い）と、前後仕切板７０の水平部７２に相当する水平部２７２と、鉛直部２７１と水平部２７２とに接続された当接部２７３と、を有し、当接部には、固定用ボルト２７４が貫通自在な固定用孔２７３ａが形成されている。
したがって、当接部２７３をダクト内板６２（Ｙ−Ｚ面）に当接した際、鉛直部２７１は「Ｘ−Ｚ面」に、水平部２７２は「Ｘ−Ｙ面」に平行になり、鉛直部２７１は水平部７２に当接し、固定用スリット６２ａと固定用孔２７３ａとの位相が一致する。
【００４１】
図８の（ａ）において、加熱室１０Ｈを加熱して、冷却室１０Ｃのみに冷却空気を送る場合、移動前後仕切板２７０の水平部２７２が、上から３段目の吹出孔６１と上から４段目の吹出孔６１との間に配置され、 移動前後仕切板２７０はダクト内板６２に固定用スリット６２ａと固定用孔２７３ａとを貫通した固定用ボルト２７４によって固定されている。したがって、実施の形態１において説明したように、加熱室１０Ｈ（上から１段目および２段目の吹出孔６１の範囲に同じ）からの温熱の侵入による影響が緩和されている。
【００４２】
図８の（ｂ）において、加熱室１０Ｈおよび冷却室１０Ｃに冷却空気を送る場合、移動前後仕切板２７０の水平部２７２が、上から４段目の吹出孔６１と上から５段目の吹出孔６１との間に配置され、固定用ボルト２７４によって固定されている。したがって、上から３段目の吹出孔６１から吹き出す冷却空気の量および流速は、図８の（ａ）におけるものより小さくなっている（図８の（ａ）において上から３段目の吹出孔６１から吹き出された冷却空気が、図８の（ｂ）においては、上から３段目の吹出孔６１および４段目の吹出孔６１に分散されている）。
よって、上から３段目の吹出孔６１に相当する位置に貯蔵された商品が、過剰に冷却されることがなくなる。
【００４３】
図９は、移動前後仕切板２７０のの果を確認した実験結果であって、縦軸は吹出孔６１の位置を示す段の名称（上から１段目等）、横軸はそれぞれの段の吹出孔６１から吹き出された吹出風量（ｍ３／ｍｉｎ）である。
すなわち、全段から冷却空気を吹き出す場合、本発明においては、水平部２７２を３段目と４段目との間から、４段目と５段目との間に引き下げている。水平部２７２を３段目と４段目との間に配置した場合の各吹出孔６１から吹き出された吹出風量（ｍ３／ｍｉｎ）を「白丸と破線」で、４段目と５段目との間に配置した場合の各吹出孔６１から吹き出された吹出風量（ｍ３／ｍｉｎ）を「黒丸と実線」で、それぞれ表示している。
したがって、第１風路６０Ａに流入した冷却空気は、４段目〜７段目の合計４段から、５段目〜７段目の合計３段の冷却を分担することになるため、それぞれの段からの吹出風量が増している。一方、第２風路６０Ｂに流入した冷却空気は、３段目のみから、３段目および４段目の合計２段の冷却を分担することになるため、それぞれの段からの吹出風量が減少している。よって、それぞれの段に相等する位置に貯蔵された商品の冷却が均一化されている。
【産業上の利用可能性】
【００４４】
本発明によれば、収納する商品の数を減少することなく、加熱室に近い位置に収納された商品を十分に冷却することができるため、各種自動販売機として広く利用することができる。
【符号の説明】
【００４５】
１０ 商品収納庫
１０Ｃ 冷却室
１０Ｈ 加熱室
１１ 断熱材
１２ ガラス扉
１３ａ 断熱仕切板
２０ 商品ラック
３０ 加熱送風手段
３１ 加熱吸込ダクト
３２ 加熱ファン
３３ 庫内ヒータ
３４ 加熱風胴
４０ 冷却吸込ダクト
４１ 吸込孔
４１ａ 吸込貫通孔
４１ｂ 吸込貫通孔
４２ ダクト内板
４３ ダクト前板
４５ ダクト後板
４６ 循環空気流出口
４８ 循環空気流入口
５０ 冷却底ダクト
５１ 蒸発器
５２ 冷却ファン
５３ 冷却送風手段
６０ 冷却吹出ダクト
６０Ａ 第１風路
６０Ｂ 第２風路
６１ 吹出孔
６１ａ 吹出貫通孔
６１ｂ 吹出貫通孔
６２ ダクト内板
６３ ダクト前板
６４ ダクト外板
６５ ダクト後板
６６ 冷却空気流入口
６７ 上下仕切部
６８ 左右仕切部
６９ 内外仕切板
７０ 前後仕切板
７１ 鉛直部
７２ 水平部
８０ 風向板
１００ 自動販売機
６２ａ 固定用スリット
２７０ 移動前後仕切板
２７１ 鉛直部
２７２ 水平部
２７３ 当接部
２７３ａ 固定用孔
２７４ 固定用ボルト
Ｗ１ 風流れ
Ｗ２ 風流れ
【図１】
2010211288.tif 000004
【図２】
2010211288.tif 000005
【図３】
2010211288.tif 000006
【図４】
2010211288.tif 000007
【図５】
2010211288.tif 000008
【図６】
2010211288.tif 000009
【図７】
2010211288.tif 000010
【図８】
2010211288.tif 000011
【図９】
2010211288.tif 000012